(57)【特許請求の範囲】
【請求項１】
外部に向かって開口した挿入口から手を抜き差しできる乾燥室と、前記乾燥室の底部の水受け部に向けて空気を吹き出すノズル部と、空気を吸込む吸気口と、前記吸気口から空気を吸い込み前記ノズル部に空気を吹き出すファンと前記ファンと連結したモーターからなるファンモーターと、ファンモーター外郭として、前記ファンと前記モーターの外枠をそれぞれ覆うファン外郭部およびモーター外郭部と、前記ファン外郭部と前記モーター外郭部を覆い支持するファンケースとモーターケースとからなるファンモーターケースと前記ファンモーターから吹き出される空気を加熱する加熱手段とを備えた手乾燥装置であって、前記モーター外郭部のベアリングハウスに弾性体のベアリングハウス防振材を設け、前記モーター外郭部と前記ファン外郭部の接合面のフランジ部周囲に当接し、外方に突状のつば部を有した弾性体のファン外郭防振材を設け、前記ファン外郭防振材をファンケースとモーターケースで支持し、前記ファン外郭防振材と前記ベアリングハウス防振材を介してファンモーターをファンモーターケースに取り付けることを特徴とする手乾燥装置。
【請求項２】
つば部に、複数の切り欠け部を設けることを特徴とする請求項１記載の手乾燥装置。
【請求項３】
ファンケースに、ファン外郭防振材の過度な侵入を防止する侵入防止部を設けることを特徴とする請求項１記載の手乾燥装置。
【請求項４】
ファン外郭防振材の端部を、内側に向けて傾斜させた傾斜部を設けることを特徴とする請求項１記載の手乾燥装置。
【請求項５】
つば部に、内空の筒部を設け、ファンモーターケースに前記筒部が挿入できる筒部挿入切欠部を設けることを特徴とする請求項１記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来、この種の洗浄後の濡れた手を乾燥させる手乾燥装置として、高速温風により手に付着した水滴を吹き飛ばし乾燥させる手乾燥装置が知られている（例えば、特許文献１参照）。
【０００３】
以下、その手乾燥装置を、図５を参照しながら説明する。
【０００４】
本体ケース１０１は、前面と天面と両側面とを覆うフロントケース１０１Ａと、壁面側を覆うリアケース１０１Ｂとによって外装を形成している。本体ケース１０１の内部には、送風手段１０２と、この送風手段１０２と連通し送風空気を温風にする加熱手段１０３と、その温風になった送風空気を吹き出す吹出しノズル１０４と、電装部品を制御する制御手段１０５とを設けている。本体ケース１０１の下面には、吹出しノズル１０４の吹出口と、送風空気を本体ケース１０１内部に取り込む吸込み口１０６が設けられている。
【特許文献１】特許第３９７０７６２号公報（第１１頁、第１図）
【発明の開示】
【発明が解決しようとする課題】
【０００５】
このような従来の手乾燥装置では、高速温風で手を乾燥させる手乾燥装置において、高速風を送風するファンモーターは、通常、吹き出し口と吸い込み口を除いたファンモーターの外枠の全体を覆うように防振材を介して手乾燥装置内のファンモーターケースに支持するようになっていたので、ファンモーター外枠の形状毎に合わせたファンモーターケースがその都度必要になっていたという課題がある。
【０００６】
本発明は、このような従来の課題を解決するものであり、ファンモーター外枠の形状毎に合わせたファンモーターケースを作成することなく、ファンモーターを手乾燥装置本体内のファンモーターケースに支持する手乾燥装置を提供することを目的とする。
【課題を解決するための手段】
【０００７】
本発明の手乾燥装置は、上記目的を達成するために、外部に向かって開口した挿入口から手を抜き差しできる乾燥室と、前記乾燥室の底部の水受け部に向けて空気を吹き出すノズル部と、空気を吸込む吸気口と、前記吸気口から空気を吸い込み前記ノズル部に空気を吹き出すファンと前記ファンと連結したモーターからなるファンモーターと、ファンモーター外郭として、前記ファンと前記モーターの外枠をそれぞれ覆うファン外郭部およびモーター外郭部と、前記ファン外郭部と前記モーター外郭部を覆い支持するファンケースとモーターケースとからなるファンモーターケースと前記ファンモーターから吹き出される空気を加熱する加熱手段とを備えた手乾燥装置であって、前記モーター外郭部のベアリングハウスに弾性体のベアリングハウス防振材を設け、前記モーター外郭部と前記ファン外郭部の接合面のフランジ部周囲に当接し、外方に突状のつば部を有した弾性体のファン外郭防振材を設け、前記ファン外郭防振材をファンケースとモーターケースで支持し、前記
ファン外郭防振材と前記ベアリングハウス防振材を介してファンモーターをファンモーターケースに取り付けるものである。
【０００８】
また、他の手段は、つば部に、複数の切り欠け部を設けるものである。
【０００９】
また、他の手段は、ファンケースに、ファン外郭防振材の過度な侵入を防止する侵入防止部を設けるものである。
【００１０】
また、他の手段は、ファン外郭防振材の端部を、内側に向けて傾斜させた傾斜部を設けるものである。
【００１１】
また、他の手段は、つば部に、内空の筒部を設け、ファンモーターケースに前記筒部が挿入できる筒部挿入切欠部を設けるものである。
【発明の効果】
【００１２】
本発明によれば、外部に向かって開口した挿入口から手を抜き差しできる乾燥室と、前記乾燥室の底部の水受け部に向けて空気を吹き出すノズル部と、空気を吸込む吸気口と、前記吸気口から空気を吸い込み前記ノズル部に空気を吹き出すファンと前記ファンと連結したモーターからなるファンモーターと、ファンモーター外郭として、前記ファンと前記モーターの外枠をそれぞれ覆うファン外郭部およびモーター外郭部と、前記ファン外郭部と前記モーター外郭部を覆い支持するファンケースとモーターケースとからなるファンモーターケースと前記ファンモーターから吹き出される空気を加熱する加熱手段とを備えた手乾燥装置であって、前記モーター外郭部のベアリングハウスに弾性体のベアリングハウス防振材を設け、前記モーター外郭部と前記ファン外郭部の接合面のフランジ部周囲に当接し、外方に突状のつば部を有した弾性体のファン外郭防振材を設け、前記ファン外郭防振材をファンケースとモーターケースで支持し、前記ファン外郭防振材と前記ベアリングハウス防振材を介してファンモーターをファンモーターケースに取り付けることにより、ファンケースとモーターケースで弾性体のファン外郭防振材を挟み込みながら取り付けるため、モーターケースで支持されたベアリングハウス防振材とファン外枠防振材で、ファンモーターの取り付けが確実に行うことができ、結果、ファンモーター特にファンから発生する振動防止ができるとともに、ファンモーターを支持している点がフランジ部周囲とベアリングハウスと小さいため、ファン外郭防振材とベアリングハウス防振材の変更のみで他形状のファンモーターを取り付けることができるという効果のある手乾燥装置を提供することができる
【００１３】
また、つば部に、複数の切り欠け部を設けることにより、ファン外郭防振材のつば部が、切り欠け部になっているので、その分材料を少なくすることができるという効果のある手乾燥装置を提供することができる。
【００１４】
また、ファンケースに、ファン外郭防振材の過度な侵入を防止する侵入防止部を設けることにより、侵入防止部を設けることにより、ファン外郭防振材を過度にファンケース内に侵入することが防げるので、ファンモーターを適正な位置に設置できるという効果のある手乾燥装置を提供することができる。
【００１５】
また、ファン外郭防振材の端部を、内側に向けて傾斜させた傾斜部を設けることにより、ファン外郭防振材の端部の傾斜部により、傾斜分がファンケースの挿入部の開口より狭く、挿入が滑らかに行えるので、ファン外郭防振材をファンケースに挿入しやすくできるという効果のある手乾燥装置を提供することができる。
【００１６】
また、つば部に、内空の筒部を設け、ファンモーターケースに前記筒部が挿入できる筒部挿入切欠部を設けることにより、ファン外郭防振材のつば部の筒部を、ファンモーターケースの筒部挿入切欠部に挿入することで、つば部を有する防振材をファンモーターケースに適正な位置に設置できるとともに、ファンモーターからの配線をまとめることができるという効果のある手乾燥装置を提供することができる。
【発明を実施するための最良の形態】
【００１７】
本発明の請求項１記載の手乾燥装置は、外部に向かって開口した挿入口から手を抜き差しできる乾燥室と、前記乾燥室の底部の水受け部に向けて空気を吹き出すノズル部と、空気を吸込む吸気口と、前記吸気口から空気を吸い込み前記ノズル部に空気を吹き出すファンと前記ファンと連結したモーターからなるファンモーターと、ファンモーター外郭として、前記ファンと前記モーターの外枠をそれぞれ覆うファン外郭部およびモーター外郭部と、前記ファン外郭部と前記モーター外郭部を覆い支持するファンケースとモーターケースとからなるファンモーターケースと前記ファンモーターから吹き出される空気を加熱する加熱手段とを備えた手乾燥装置であって、前記モーター外郭部のベアリングハウスに弾性体のベアリングハウス防振材を設け、前記モーター外郭部と前記ファン外郭部の接合面のフランジ部周囲に当接し、外方に突状のつば部を有した弾性体のファン外郭防振材を設け、前記ファン外郭防振材をファンケースとモーターケースで支持し、前記ファン外郭防振材と前記ベアリングハウス防振材を介してファンモーターをファンモーターケースに取り付けることとしたものであり、モーター外郭部のベアリングハウスにベアリングハウス防振材を取り付けたファンモーターをファンケースに取り付け、フランジ部周囲にファン外郭防振材を取り付け、ファン外郭防振材をファンケースとモーターケースで挟みながら
、モーターケースをファンケースに結合させてファンモーターをファンモーターケースに取り付けるという作用を有する。
【００１８】
また、つば部に、複数の切り欠け部を設けることとしたものであり、モーター外郭部のベアリングハウスにベアリングハウス防振材を取り付けたファンモーターをファンケースに取り付け、フランジ部周囲につば部に複数の切り欠き部を設けたファン外郭防振材を取り付け、ファン外郭防振材をファンケースとモーターケースで挟みながら、モーターケースをファンケースに結合させてファンモーターをファンモーターケースに取り付けるという作用を有する。
【００１９】
また、ファンケースに、ファン外郭防振材の過度な侵入を防止する侵入防止部を設けることとしたものであり、ファン外郭防振材をファンケースとモーターケースで挟みながら、モーターケースを侵入防止部を設けたファンケースに結合させる時に、ファン外郭防振材を過度にファンケース内に侵入しないという作用を有する。
【００２０】
また、ファン外郭防振材の端部を、内側に向けて傾斜させた傾斜部を設けることとしたものであり、ファン外郭防振材をファンケースとモーターケースで挟みながら、ファンケースがファン外郭防振材の傾斜部を滑らかに接しながらモーターケースに結合されるという作用を有する。
【００２１】
また、つば部に、内空の筒部を設け、ファンモーターケースに前記筒部が挿入できる筒部挿入切欠部を設けることとしたものであり、ファン外郭防振材のつば部の筒部を、ファンモーターケースの筒部挿入切欠部に挿入するという作用を有する。
【００２２】
以下、本発明の実施の形態について、図面を参照しながら説明する。
【００２３】
（実施の形態１）
図１から図４に示すように、外部に向かって開口した挿入口から手を抜き差しできる乾燥室１と、乾燥室１の底部の水受け部２に向けて空気を吹き出すノズル部３と、空気を吸込む吸込口４と、吸込口４から空気を吸い込みノズル部３に空気を吹き出すファン５ａとファン５ａと連結したモーター５ｂからなるファンモーター５と、ファンモーター外郭６として、ファン５ａとモーター５ｂの外枠をそれぞれ覆うファン外郭部６ａおよびモーター外郭部６ｂと、ファン外郭部６ａとモーター外郭部６ｂを覆い支持するファンケース７ａとモーターケース７ｂとからなるファンモーターケース７と、ファンモーター５から吹き出される空気を加熱する加熱手段８とを備えた手乾燥装置であって、モーター外郭部６ｂのベアリングハウス１８に弾性体のベアリングハウス防振材９を設け、ファン外郭部６ａとモーター外郭部６ｂの接合面のフランジ部１０の周囲に、弾性体の外方に突状のつば部１１を有したファン外郭防振材１２を設け、ファン外郭防振材１２をファンケース７ａとモーターケース７ｂで挟んで支持し、ファン外郭防振材１２とベアリングハウス防振材９を介してファンモーター５をファンモーターケース７に取り付ける構成とする。
【００２４】
また、ファン外郭防振材１２のつば部１１に複数の切り欠き部１３と内空の筒部１４を設け、ファンケース７ａには筒部１４が挿入できる筒部挿入切欠部１５とファン外郭防振材１２の過度な侵入を防止する侵入防止部１６を設け、ファン外郭防振材１２のファンケース７ａ側の端部を、内側に向けて傾斜させた傾斜部１７を設ける構成とする。
【００２５】
上記構成により、モーター外郭部６ｂのベアリングハウス１８にベアリングハウス防振材９を取り付けたファンモーター５をファンケース７ａに取り付け、フランジ部１０の周囲につば部１１に複数の切り欠き部１３を設けたファン外郭防振材１２を取り付ける。ファン外郭防振材１２をファンケース７ａとモーターケース７ｂで挟みながら、ファン外郭防振材１２を過度にファンケース７ａ内に侵入しない侵入防止部１６を設けたファンケース７ａが、ファン外郭防振材１２の傾斜部１７を滑らかに接しながらモーターケース７ｂに結合させてファンモーター５をファンモーターケース７に取り付ける。
【００２６】
また、ファンケース７ａとモーターケース７ｂの結合時に、ファン外郭防振材１２の筒部１４を、ファンケース７ａの筒部挿入切欠部１５に挿入する。
【００２７】
このように本発明の実施の形態の手乾燥装置によれば、ファンケース７ａとモーターケース７ｂで弾性体のファン外郭防振材１２を挟み込みながら取り付けるため、モーターケース７ｂで支持されたベアリングハウス防振材９とファン外枠防振材１２で、ファンモーター５の取り付けが確実に行うことができ、結果、ファンモーター５、特にファン５ａから発生する振動防止ができるとともに、ファンモーター５を支持している点がフランジ部１０の周囲とベアリングハウスと小さいため、ファン外郭防振材１２とベアリングハウス防振材９の変更のみで他形状のファンモーター外郭６を取り付けることができることとなる。
【００２８】
また、ファン外郭防振材１２のつば部１１が、切り欠き部１３になっているので、その分材料を少なくすることができ、抜き方向面積を低減により抜き数を増やすことができる。
【００２９】
また、ファンケース７ａに侵入防止部１６を設けることにより、ファン外郭防振材１２を過度にファンケース７ａ内に侵入することが防げるので、ファンモーター５を適正な位置に設置できる。
【００３０】
また、ファン外郭防振材１２の端部に傾斜部１７を設けることにより、傾斜部１７がファンケース７ａの挿入部の開口より狭く、ファン外郭防振材１２の挿入が滑らかに行えるので、ファン外郭防振材１２をファンケース７ａに挿入しやすくできる。
【００３１】
また、ファン外郭防振材１２の筒部１４を、ファンケース７ａの筒部挿入切欠部１５に挿入することで、つば部１１を有するファン外郭防振材１２をファンケース７ａに適正な位置に設置できるとともに、筒部１４にファンモーター５からの配線を通すことでファンモーター５からの配線をまとめることができる。
【産業上の利用可能性】
【００３２】
本発明の手乾燥装置は、レストランやホテルなどの洗面所やトイレに設置され、また病院や調理場においても適用できる。
【図面の簡単な説明】
【００３３】
【図１】本発明の実施の形態１の手乾燥装置の側構成図
【図２】同手乾燥装置のファンモーターの周囲の側面図
【図３】同手乾燥装置のファン外郭防振材の正面図
【図４】同手乾燥装置のファンケースの側断面図
【図５】従来の手乾燥装置の側構成図
【符号の説明】
【００３４】
１      乾燥室
２      水受け部
３      ノズル部
４      吸込口
５      ファンモーター
５ａ    ファン
５ｂ    モーター
６      ファンモーター外郭
６ａ    ファン外郭部
６ｂ    モーター外郭部
７      ファンモーターケース
７ａ    ファンケース
７ｂ    モーターケース
８      加熱手段
９      ベアリングハウス防振材
１０    フランジ部
１１    つば部
１２    ファン外郭防振材
１３    切り欠き部
１４    筒部
１５    筒部挿入切欠部
１６    侵入防止部
１７    傾斜部
【図１】
0004985270.tif 000002
【図２】
0004985270.tif 000003
【図３】
0004985270.tif 000004
【図４】
0004985270.tif 000005
【図５】
0004985270.tif 000006